(57)【要約】【課題】  地雷処理機械としても使用可能な作業機械であって照明用ライトを備えたものにおいて、地雷処理時の飛散物から照明用ライトを保護することができるようにする。【解決手段】  照明用ライト３１をそなえ、地雷処理装置を装備可能な作業機械であって、照明用ライト３１の前面を覆い該前面を保護する閉位置と照明用ライト３１の前面を開放した開位置との間で開閉可能なライトガード４１をそなえるように構成する。【選択図】        図１
2006027460.tif 000002
【特許請求の範囲】
【請求項１】
作業装置及び照明用ライトをそなえた作業機械であって、
該照明用ライトの前面を覆い該前面を保護する閉位置と該照明用ライトの前面を開放した開位置との間で開閉可能なライトガードがそなえられている
ことを特徴とする、作業機械。
【請求項２】
該照明用ライトは、該作業装置に装備される
ことを特徴とする、請求項１記載の作業機械。
【請求項３】
該ライトガードの開閉を遠隔操作する遠隔操作手段がそなえられている
ことを特徴とする、請求項１又は２記載の作業機械。
【請求項４】
該ライトガードは、該照明用ライトのボディにヒンジ結合によって開閉可能に装備され、
該遠隔操作手段は、該ライトガードの該ヒンジ結合の中心から離隔した箇所に一端を結合された索と、該索の他端に結合された操作用ハンドルとをそなえ、
該操作用ハンドルを通じて該索を引き操作又は押し操作することによって該ライトガードを該ヒンジ結合回りに開閉操作可能に構成されている
ことを特徴とする、請求項３記載の作業機械。
【請求項５】
該操作用ハンドルを、該索の引き操作後の位置及び／又は該索の押し操作後の位置に固定するロック機構が備えられている
ことを特徴とする、請求項４記載の作業機械。
【発明の詳細な説明】
【技術分野】
【０００１】
本発明は、照明用ライトをそなえ地雷処理機械に適用可能な作業機械に関するものである。
【背景技術】
【０００２】
近年、戦争時に地中に埋められた地雷の処理対策が課題となっている。その対策のひとつとして、例えば、油圧ショベル等の作業機械を用いて地中の地雷を掘り起こす技術が提案されている（例えば、特許文献１参照）。
ところで、油圧ショベル等の作業機械には、夜間作業のために、照明用ライトを備えたものがある（例えば、特許文献２）。
【特許文献１】特開２００１−１５３５９７号公報
【特許文献２】特開平１０−３７２２５号公報
【発明の開示】
【発明が解決しようとする課題】
【０００３】
ところで、特許文献１に記載された地雷処理機械としても使用可能な作業機械では、工具アタッチメントを一般の作業用アタッチメントから地雷処理装置に変更するだけで地雷処理機械を構成できるので、逆に、工具アタッチメントとして一般の作業用アタッチメントを取り付ければ、一般の作業機械に戻すことができ、利便性が高い。このような地雷処理機械としても使用可能な作業機械においても、照明用ライト付きに構成することが考えられる。
【０００４】
しかしながら、作業機械を地雷処理機械として用いる場合、地雷処理中に地雷が爆発すると、爆発した地雷の破片や地雷周辺の土砂等の飛散物が地雷処理装置の周囲に飛散するため、作業機械車両に照明用ライトが備えられていると、この照明用ライトに飛散物が衝突する虞がある。特に、図６に示すようなブームライト３１を備える場合、ブームライト３１は地雷処理装置に近い位置にあるため、このブームライト３１に上記飛散物が衝突する虞が高い。照明用ライト類は、その前面の光照射面がガラス等の割れやすい材料でできているため、飛散物が衝突すれば破損し易い。
【０００５】
本発明はこのような課題に鑑み創案されたもので、地雷処理機械としても使用可能な作業機械であって照明用ライトを備えたものにおいて、地雷処理時の飛散物から照明用ライトを保護することができるようにした、作業機械を提供することを目的とする。
【課題を解決するための手段】
【０００６】
上記目的を達成するために、本発明の作業機械は、作業装置及び照明用ライトをそなえた作業機械であって、該照明用ライトの前面を覆い該前面を保護する閉位置と該照明用ライトの前面を開放した開位置との間で開閉可能なライトガードがそなえられていることを特徴としている（請求項１）。
また、該照明用ライトは、該作業装置に装備されることが好ましい（請求項２）。
【０００７】
さらに、該ライトガードの開閉を遠隔操作する遠隔操作手段がそなえられていることが好ましい（請求項３）。
この場合、該ライトガードは、該照明用ライトのボディにヒンジ結合によって開閉可能に装備され、該遠隔操作手段は、該ライトガードの該ヒンジ結合の中心から離隔した箇所に一端を結合された索と、該索の他端に結合された操作用ハンドルとをそなえ、該操作用ハンドルを通じて該索を引き操作又は押し操作することによって該ライトガードを該ヒンジ結合回りに開閉操作可能に構成されていることが好ましい（請求項４）。
【０００８】
該操作用ハンドルを、該索の引き操作後の位置及び／又は該索の押し操作後の位置に固定するロック機構が備えられていることが好ましい（請求項５）。
【発明の効果】
【０００９】
本発明の作業機械によれば、地雷処理を行なう際には、作業装置に地雷処理装置を装備して、さらに、ライトガードを閉位置にする。これによって、地雷処理装置を用いて地雷処理を行なことができる。この際、地雷が爆発すると、爆発した地雷の破片や地雷周辺の土砂等の飛散物が地雷処理装置の周囲に飛散し、照明用ライトにも飛散物が衝突する虞があり、照明用ライトの前面の光照射面は飛散物が衝突すれば破損し易いが、ライトガードが閉位置とされ、照明用ライトの前面はライトガードにより覆われ保護されているので、照明用ライトの前面は飛散物の衝突から保護される（請求項１）。
【００１０】
例えば、作業機械が油圧ショベルの場合、地雷処理装置を該油圧ショベルの作業アームの先端に作業用アタッチメントとして装着するように構成すれば、作業用アタッチメントを交換することにより、通常の作業態様から地雷処理用作業態様への切り替えや地雷処理用作業態様から通常の作業態様への復帰を容易に行なうことができ、地雷処理用作業態様に切り替えた際にはライトガードを閉位置にして照明用ライトを保護することができ、通常の作業態様へ復帰させた際にはライトガードを開位置にして照明用ライトを使用可能にして通常の作業を実施することができる。
【００１１】
該照明用ライトが作業装置に装備される場合、通常作業時には作業装置による作業箇所を照明用ライトによって照明することで作業がしやすくなり、一方、地雷処理装置を作業装置の先端に作業用アタッチメントとして装着して地雷処理作業を行なうと、地雷爆発時には作業装置に飛散物が衝突し易く、照明用ライトにも飛散物が衝突し易いが、ライトガードを閉位置にすることにより、照明用ライトを飛散物から確実に保護することができる（請求項２）。
【００１２】
該ライトガードの開閉を遠隔操作する遠隔操作手段がそなえられていると、例えば油圧ショベルのブームライトなど直接手の届きにくい箇所にある照明用ライトのライトガードの開閉も容易に且つ確実に行なうことができる（請求項３）。
この場合、ライトガードを、照明用ライトのボディにヒンジ結合によって開閉可能に装備し、遠隔操作手段を、ライトガードのヒンジ結合の中心から離隔した箇所に一端を結合された索と、この索の他端に結合された操作用ハンドルとから、操作用ハンドルを通じて索を引き操作又は押し操作することによってライトガードをヒンジ結合回りに開閉操作可能に構成すればライトガードの開閉を低コストで容易に操作することができる（請求項４）。
【００１３】
操作用ハンドルを、索の引き操作後の位置及び／又は索の押し操作後の位置に固定するロック機構を備えれば、ライトガードの開位置への固定及び／又は閉位置への固定を容易に行なうことができる（請求項５）。
【発明を実施するための最良の形態】
【００１４】
以下、図面により、本発明の実施の形態について説明する。
図１〜図４は本発明の一実施形態に係る作業機械である油圧ショベルを示すもので、図１はその要部（ブーム）を示す構成図［（ａ）は側面図、（ｂ）は上面図］、図２はその照明用ライトとしてのブームライトとそのライトガードを示す図［（ａ）は側面図、（ｂ）は正面図］、図３はそのライトガードの遠隔操作手段に装備される操作ハンドルを示す側面図、図４はその操作ハンドルの詳細を示す側面図［（ａ），（ｃ）はロック機構を固定した状態、（ｂ）はロック機構を解除した状態］である。
【００１５】
本実施形態では、代表的な作業機械である油圧ショベルを例に説明する。この油圧ショベル自体は、図６に示すように一般的なものとして構成され、下部走行体２上に旋回ベアリング３を介して上部旋回体４を備え、上部旋回体４にはキャブ５，作業装置１０等が設けられ、作業装置１０は、上部旋回体４に上下揺動自在に連結されるブーム１１と、ブーム１１の先端に前後揺動自在に連結されるアーム１２と、アーム１２の先端に前後揺動自在に連結されるバケット１３と、ブーム１１，アーム１２及びバケット１３を作動させるためのブームシリンダ２１，アームシリンダ２２及びヘッダシリンダ２３とをそなえている。そして、ブーム１１の中間部には、照明用ライトとして、作業方向（バケット１３方向）を照明するブームライト３１がそなえられ、上部旋回体４の前部やキャブ５のルーフ部前部にもライト３２，３３が備えられている。
【００１６】
なお、地雷処理を考慮すると、この油圧ショベルに装備される作業装置１０のブーム１１やアーム１２は、一般的なものよりも長く設定され且つより高い強度に設定された、いわゆる強化ブーム，強化アームであることが好ましい。
そして、本油圧ショベルには、図１に示すように、そのブームライト３１に、前面（光を照射する面）を覆って保護しうるライトガード４１が装備されている。このライトガード４１は、図１（ａ）に実線で示す閉状態と二点鎖線で示す開状態とを取り得るように、開閉可能に構成されている。
【００１７】
図２はこのブームライト３１及びライトガード４１の詳細を示すが、図２（ｂ）に示すように、ブームライト３１は、ブーム１１の長手方向中間部の側面に、ブラケット３４を介してボルト３５によって締結され固定されている。このブームライト３１は、前面が開口した（又は前面が光透過性材料でできた）ケース３１ｂ内にライト本体３１ａが内蔵された構成になっている。
【００１８】
ライトガード４１は、ケース３１ｂの上部後縁に備えられたヒンジ４２を介してケース３１ｂにヒンジ結合されている。ライトガード４１は、ブームライト３１のケース３１ｂの前面に対応した前面部４１ａと、ケース３１ｂの上面に対応した上面部４１ｂと、ケース３１ｂの左右側面に対応した側面部４１ｃ，４１ｃとからなり、上面部４１ｂの後縁をヒンジ４２に結合されており、図２（ａ）に実線で示す閉状態から図２（ａ）中上方（反時計回り）に略４５度回動すると開状態となり、逆に、図２（ａ）に二点鎖線で示す開状態から図２（ａ）中下方（時計回り）に略４５度回動すると閉状態となる。
【００１９】
ケース３１ｂの各側部には、上方（ここでは、前方を向いた斜め上方）に向いたストッパ面３１ｃが備えられ、ライトガード４１の各側面部４１ｃには、下方（ここでは、前方を向いた斜め下方）に向いたストッパ面４１ｄが備えられており、ライトガード４１の閉鎖側への回動時には、対応する各ストッパ面３１ｃ，４１ｄが当接することにより、ライトガード４１を閉状態に保持するようになっている。
【００２０】
ライトガード４１の上面部４１ｂには、ケーブル（索）係止用ブラケット４３ａが突設され、このブラケット４３ａの係止部にケーブル４５が接続されている。なお、ブラケット４３ａの係止部は、当然ながら、ヒンジ結合の中心から離隔した箇所に位置する。また、ケース３１ｂの一側部には、ケース３１ｂの上部後方に延びたケーブル４５のケーシング４４を支持するケーシング支持ブラケット４３ｂが固設されている。つまり、ケーシング４４はケース３１ｂに固定され、ケーブル４５はこのケーシング４４内で進退可能になっており、図２（ａ）中に示す矢印ａ方向にケーブル４５を後退させるとライトガード４１は開方向に回動し、図２（ａ）中に示す矢印ｂ方向にケーブル４５を前進させるとライトガード４１は閉方向に回動するようになっている。
【００２１】
このように、一端をライトガード４１に係止されたケーブル４５の他端には、図３に示すように、操作用ハンドル４６が結合されており、ケーブル４５及び操作用ハンドル４６等からライトガード４１を遠隔操作する遠隔操作手段５１が構成されている。この操作用ハンドル４６は、図３に示すように、上部旋回体４の壁面（例えば、キャブ５の内壁面、或いは、キャブ５近傍の壁面）４ａに固定されたパイプ状のケーシング４８内に、軸方向にスライド可能に装備されており、操作用ハンドル４６の軸心部分には、ロック操作ツマミ４７が装備されている。また、ケーシング４８には、ハンドル取付ブラケット４８が取り付けられている。このハンドル取付ブラケット４８は、壁面４ａに当接するフランジ部４８ａと、このフランジ部４８ａから延設され壁面４ａに形成された穴部に嵌装されたパイプ状の軸ガイド部４８ｂとをそなえ、軸ガイド部４８ｂには、パイプ状の軸ガイド部材４８ｃが接続されている。
【００２２】
図４は操作用ハンドル４６の近傍をより詳細に示す断面図であるが、図４（ａ）に示すように、操作用ハンドル４６には、中空軸４６ａが結合され、この中空軸４６ａが軸ガイド部４８ｂ，軸ガイド部材４８ｃ内に軸方向スライド可能に装備されている。この操作用ハンドル４６の中空軸４６ａには、連結部材４５ａ，４５ｂを介してケーブル４５の他端が結合されている。したがって、図４（ｃ）に示すように、操作用ハンドル４６を引くことで、ケーブル４５を、図２（ａ）中に示す矢印ａ方向に後退させて、ケーブル４５の他端に接続されたライトガード４１を開方向に回動させることができ、図４（ａ），（ｂ）に示すように、操作用ハンドル４６を押すことで、ケーブル４５を、図２（ａ）中に示す矢印ｂ方向に前進させて、ケーブル４５の他端に接続されたライトガード４１を閉方向に回動させることができる。ここでは、軸ガイド部４８ｂと操作用ハンドル４６との間に、コイルスプリング５０ａが圧縮状態で介装され、操作用ハンドル４６を押し側（ケーブル４５の前進側）に付勢している。
【００２３】
このような操作用ハンドル４６の中空軸４６ａの内部には、操作用ハンドル４６を進退方向（押し引き方向）に固定するロック機構Ｒが装備されている。このロック機構Ｒは、ロック操作ツマミ４７と、このロック操作ツマミ４７が一端部に結合され中空軸４６ａ内を軸線方向に移動可能な軸４７ａと、軸４７ａの他端部に形成された両端がテーパ状の縮径部４７ｂ及び縮径部４７ｂの最大径の部分と連続して形成されたボール係止部４７ｃと、中空軸４６ａに加工された穴部４６ｂと、この穴部４６ｂと、縮径部４７ｂ及びボール係止部４７との間に介装されたボール（鋼球）４９とから構成されている。
【００２４】
ボール４９は、中空軸４６ａの穴部４６ｂの内側に位置しており、図４（ｂ）に示すように、軸４７ａの縮径部４７ｂが穴部４６ｂに対応した位置にあると、縮径部４７ｂ外周の径方向の隙間量は十分になって、ボール４９は空間内で遊んだ状態になるが、図４（ａ），（ｃ）に示すように、ロック操作ツマミ４７を通じて軸４７ａが中空軸４６ａに対して軸線方向に引き操作されると、縮径部４７ｂよりも径の大きいボール係止部４７ｃが穴部４６ｂに対応した位置となって、ボール係止部４７ｃ外周の径方向の隙間量は少なくなって、ボール４９は、空間内で軸ガイド部４８ｂ内周面と軸４７ａ外周面との双方に圧接し、中空軸４６ａと軸４７ａとを軸ガイド部４８ｂにロックした状態になる。これにより、操作用ハンドル４６の中空軸４６ａが固定されるようになっている。
【００２５】
なお、軸４７ａの先端と操作用ハンドル４６の中空軸４６ａに連結された連結部材４５ｂとの間には、コイルスプリング５０ｂが介装され、中空軸４６ａをロックする側に軸４７ａを付勢している。
【００２６】
本発明の一実施形態にかかる作業機械は上述のように構成されているので、地雷処理を行なう際には、バケット１３に代えて図示しない公知の地雷処理装置をアーム１２の先端に装備して、さらに、ロック操作ツマミ４７を押してロック機構Ｒを一旦解除して、操作用ハンドル４６を押し、ケーブル４５を、図２（ａ）中に示す矢印ｂ方向に前進させて、ケーブル４５の他端に接続されたライトガード４１を閉位置にする［図４（ｂ）参照］。そして、ロック操作ツマミ４７を引いてロック機構Ｒを作動させる［図４（ａ）参照］。
【００２７】
これにより、ライトガード４１は閉位置に固定されるため、地雷処理装置を用いて地雷処理を行ない、地雷が爆発し、爆発した地雷の破片や地雷周辺の土砂等の飛散物が地雷処理装置の周囲に飛散し、ブームライト３１に向かって飛散物が飛んできても、ブームライト３１の前面はライトガード４１により覆われ保護されているので、飛散物の衝突から保護されることになる。
【００２８】
一方、通常の（地雷処理以外の）作業を行なう際には、バケット１３又はこれに代わる通常の（地雷処理装置以外の）作業用アタッチメントをアーム１２の先端に装備して、ロック操作ツマミ４７を押してロック機構Ｒを一旦解除して［図４（ｂ）参照］，操作用ハンドル４６を引き、ケーブル４５を、図２（ａ）中に示す矢印ａ方向に後退させて、ケーブル４５の他端に接続されたライトガード４１を開位置にする。そして、ロック操作ツマミ４７を引いてロック機構Ｒを作動させる［図４（ｃ）参照］。
【００２９】
これにより、ライトガード４１は開位置に固定されるため、夜間等の照明が必要なときにはいつでもブームライト３１を使用することができる。
以上のように、本装置によれば、ライトガード４１によって、地雷処理時にブームライト３１を、爆発した地雷の破片や地雷周辺の土砂等の飛散物から確実に保護することができ、しかも、ライトガード４１を遠隔操作によってオペレータがライト位置まで移動することなく開閉操作できるため、極めて操作性がよいという利点もある。
【００３０】
以上、本発明の実施形態を説明したが、本発明はかかる実施形態に限定されるものではなく、本発明の趣旨を逸脱しない範囲で種々変形して実施することができる。
例えば、図５に示すように、ライトガード４１´を単純な蓋部材としてその上端を枢着し、自重によって閉方向に移動できるよう構成し、ライトガード４１´を開状態にする際には、ケーブル４５´を引いてケーブル４５´の端部の係止穴５１ａを係止用フック５１ｂに係止し、逆に、ライトガード４１´は自重によって閉方向に移動し、閉状態とする。なお、ケーブル４５´はガイド５２によりガイドされている。このようにシンプルに構成しても、上記の実施形態と同様の作用、効果を得ることができる。
【００３１】
また、本実施形態では、ブームライト３１に装備する場合を説明したが、ライトガード４１を、例えば上部旋回体４の前部やキャブ５のルーフ部前部のライト３２，３３など、その他の照明用ライトに装備してもよい。
また、ライトガード４１の開閉機構も上記の実施形態に限定されるものではなく、例えば、電動モータ等の電動式或いは油圧式等のアクチュエータによって駆動するように構成し、このアクチュエータをキャブ内などから遠隔操作するようにしてもよい。
【００３２】
また、ライトガード４１の形状についても限定されるものではない。
【図面の簡単な説明】
【００３３】
【図１】本発明の一実施形態としての作業機械である油圧ショベルの要部（ブームの一部）を示す構成図であって、（ａ）はその側面図、（ｂ）はその上面図である。
【図２】本発明の一実施形態にかかる照明用ライトとしてのブームライトとそのライトガードを示す図であって（ａ）はその側面図、（ｂ）はその正面図である。
【図３】本発明の一実施形態にかかるライトガードの遠隔操作手段に装備される操作ハンドルを示す側面図である。
【図４】本発明の一実施形態にかかる操作ハンドルの詳細を示す断面図であって、（ａ）は索を押し操作してロック機構を固定した状態を示し、（ｂ）は（ａ）の状態からロック機構を解除した状態を示し、（ｃ）は索を引き操作してロック機構を固定した状態を示す。
【図５】本発明の一実施形態の変形例にかかる油圧ショベルの要部（ブームの一部）を示す側面図である。
【図６】照明用ライト付きの作業機械である油圧ショベルの一般的な構成を示す斜視図である。
【符号の説明】
【００３４】
３１  ブームライト
４１，４１´  ライトガード
４２  ヒンジ
４５，４５´  ケーブル（索）
４５ａ，４５ｂ  連結部材
４６  操作用ハンドル
５１  遠隔操作手段
【図１】
2006027460.tif 000003
【図２】
2006027460.tif 000004
【図３】
2006027460.tif 000005
【図４】
2006027460.tif 000006
【図５】
2006027460.tif 000007
【図６】
2006027460.tif 000008